【事件の表示】
　平成１１年特許願第１１１４２６号「データキャリアおよび物流過程の品質保証方法」拒絶査定に対する審判事件［平成１２年１０月３１日出願公開、特開２０００−３０２２１１］について、次のとおり審決する。
【結　論】
　本件審判の請求は、成り立たない。
【理　由】
１．手続の経緯
　本願は、平成１１年４月１９日の出願であって、平成１２年１１月１４日付で拒絶査定がなされ、これに対し、同年１２月２１日に拒絶査定に対する審判請求がなされるとともに、平成１３年１月２２日付で手続補正がなされたものである。
　
２．平成１３年１月２２日付の手続補正についての補正却下の決定
［補正却下の決定の結論］
　平成１３年１月２２日付の手続補正を却下する。
［理由］
（１）補正後の本願発明
　本件補正により、特許請求の範囲の請求項１，５は、
「１．物流過程で取扱われる荷物に添付され、荷物の識別情報をデータとして保持し、保持するデータを外部から読取り可能なデータキャリアであって、
　物流過程で荷物に作用する環境を、温度、湿度または圧力のうちの少なくとも１つ、および衝撃または加速度のうちの少なくとも１つでそれぞれ検知し、検知情報を表す信号をそれぞれ導出する複数のセンサと、
　時刻を表す信号を導出するクロックと、
　荷物の識別情報をデータとして保持し、複数のセンサからの信号が表す検知情報を、クロックからの信号によって表される時刻とともに、記憶して蓄積する不揮発性のメモリと、
　外部との間で無線通信を行う通信器と、
　メモリに蓄積されている検知情報および時刻を、外部からの読取り要求に応じて読出し、保持している荷物の識別情報とともに、無線通信で外部に送出するように通信器を制御する制御回路と、
　センサ、クロック、メモリ、通信器、および制御回路に、動作用の電力を供給する電池とを含むことを特徴とするデータキャリア。
　５．物流過程で荷物に作用する環境を、温度、湿度または圧力のうちの少なくとも１つ、および衝撃または加速度のうちの少なくとも１つでそれぞれ検知し、検知情報を表す信号をそれぞれ導出する複数のセンサと、
　時刻を表す信号を導出するクロックと、
　複数のセンサからの信号が表す検知情報を、クロックからの信号によって表される時刻とともに、記憶して蓄積する不揮発性のメモリと、
　外部との間で無線通信を行う通信器と、
　メモリに蓄積されている検知情報および時刻を、外部からの要求に応じて読出し、無線通信で外部に送出するように通信器を制御する制御回路と、
　センサ、クロック、メモリ、通信器、および制御回路に、動作用の電力を供給する電池とを含む環境監視部材を荷物に添付して物流過程に移行させ、
　物流過程の途中または終了後の必要時に、環境監視部材を荷物に添付したままの状態で、メモリに蓄積されている検知情報を無線通信で読出して、荷物が物流過程で予め設定される基準を満たさない環境にさらされているか否かを判断することを特徴とする物流過程の品質保証方法。」
と補正された。
　上記補正は、請求項１に記載した発明を特定するために必要な事項である「データキャリア」について「時刻を表す信号を導出するクロックを含む」との限定を付加し、同じく「センサ」について「温度、湿度または圧力のうちの少なくとも１つ、および衝撃または加速度のうちの少なくとも１つでそれぞれ検知し」との限定を付加し、同じく「メモリ」について「不揮発性の」との限定を付加するとともに「荷物の識別情報をデータとして保持し、複数のセンサからの信号が表す検知情報を、クロックからの信号によって表される時刻とともに、記憶して蓄積する」との限定を付加し、同じく「制御回路」について「メモリに蓄積されている時刻を、外部からの読取り要求に応じて読出し、無線通信で外部に送出するように通信器を制御する」との限定を付加し、同じく「電源」について「電池」に限定するとともに「クロックに、動作用の電力を供給する」との限定を付加するものであって、また、請求項５に記載した発明を特定するために必要な事項である「環境監視部材」について「時刻を表す信号を導出するクロックを含む」との限定を付加し、同じく「センサ」について「温度、湿度または圧力のうちの少なくとも１つ、および衝撃または加速度のうちの少なくとも１つでそれぞれ検知し」との限定を付加し、同じく「メモリ」について「不揮発性の」との限定を付加するとともに「複数のセンサからの信号が表す検知情報を、クロックからの信号によって表される時刻とともに、記憶して蓄積する」との限定を付加し、同じく「制御回路」について「メモリに蓄積されている時刻を、外部からの要求に応じて読出し、無線通信で外部に送出するように通信器を制御する」との限定を付加し、同じく「電源」について「電池」に限定するとともに「クロック、通信器に、動作用の電力を供給する」との限定を付加するものであって、特許法第１７条の２第４項第２号の特許請求の範囲の減縮を目的とするものに該当する。
　そこで、本件補正後の前記請求項１，５に記載された発明（以下、「本願補正発明１，５」という。）が特許出願の際独立して特許を受けることができるものであるか（特許法第１７条の２第５項において準用する同法第１２６条第４項の規定に適合するか）について以下に検討する。
　
（２）引用例
　原査定の拒絶の理由に引用された特開昭６３−３６１１６号公報（以下、「引用例１」という。）には、図面とともに、次の事項が記載されている。
（ア）「前記センサーが、温度検出センサー、湿度検出センサー、圧力検出センサー、光検出センサー、磁気検出センサーのうちの一つまたは複数のセンサーである特許請求の範囲第１項記載の雰囲気検知カード。」（第１頁左下欄第１４〜１８行）
（イ）「〔発明の技術分野〕
　本発明は、カード本体内に集積回路（以下ＩＣと略記する）を内蔵してなる雰囲気検知カードに関する。
〔発明の技術的背景とその問題点〕
　医薬品、輸血用血液等その保管状態について十分に注意すべき物品があり、例えば輸血用血液においては常にある一定の温度範囲に保たれなければ変質する惧れがあり、従って厳重な温度管理がなされる必要がある。
　しかるに、輸血用血液は雰囲気管理システムが完備されている一定箇所に保管されているだけでなく、しばしば移送されることがあり、当然のことながら移送中にも一定温度範囲内に保たれている必要がある。
　しかしながら、従来においては移送過程での温度変化は温度計を見て確認するしかなく、常時温度計を見ていることは実質的に不可能であるために、途中で温度が変化して許容範囲外となり、再び許容範囲内に戻ったような場合に、温度が許容範囲外になっているときに温度計を見なければその異常を看過してしまうことになる。
　この温度異常のために血液が変質し、これをそのまま輸血に用いると人命にかかわる重大な事故につながることになる。このような問題は輸血用血液に限らず、他の物品についても同様であり、また他の雰囲気即ち湿度、圧力、振動、光、磁場、電場、ガス等の管理についても同様である。
〔発明の目的〕
　従って、本発明の目的とするところは、物品の保存状態をチェックでき、しかも大がかりなものとならず、例えば移送中の物品の保存状態チェックにも簡単に用いることができる雰囲気検知カードを提供することにある。
　また、本発明の他の目的はトランザクションデータの確認、即ち保存状態の異常がいつの時点で生じたかをチェックでき、異常発生の原因を判明することが可能なＩＣ内臓雰囲気検知カードを提供することにある。
〔発明の概要〕
　上記目的を達成すべくなされた本発明は、カード本体に取付けられたセンサーからの雰囲気検出信号とそのときの時間とをカード本体内のメモリに記憶し、雰囲気の検出を終了した時点でメモリ内のデータを外部機器に読み出し、外部機器にて各時間における雰囲気が許容範囲内に存在するか否かを確認することができる雰囲気検知カードである。」（第１頁左下欄第２０行〜第２頁右上欄第７行）
（ウ）「第１図は本発明のカードを温度検知カードに応用した例の外観図であり、カード本体（１）の表面に外部機器コネクター（２）、温度センサー（３）、スイッチ（４）が設けられている。
　・・（略）・・。
　また、スイッチ（４）は温度測定開始命令と温度測定終了命令を与えるものであり、フラットキー、押ボタン等適宜のものを用いることができる。
　さらに、外部機器コネクター（２）は温度検出センサー（３）により測定された温度データをリーダーライター等の外部機器に送り出し、外部機器にて測定温度が許容値を越えたか否かを確認するため及び外部コンピューターからの命令を受けるために設けられており、・・（略）・・。
　カード本体（１）の内部には、第２図にブロック図で示す如くの集積化されたデータ処理回路が設けられている。第２図において、データ演算、制御を行なうマイクロプロセッサユニット（以下ＭＰＵと略記する）（７）、プログラムメモリ及びデータメモリとしてのＥＥＰＲＯＭ（８）、クロック（１１）及び時間計時のためのタイマー（１４）がバスライン（１２）に接続され、また温度センサー（３）はアナログ−ディジタル変換器（１３）を介して、スイッチ（４）はインターフェース（１１）を介して各々バスライン（１２）に接続されている。さらに、前述した外部機器コネクター（２）のＩ／Ｏ端子、クロック端子、リセット端子はインターフェース（９）を介してバスライン（１２）に接続されている。
　なお、上記データ処理回路はカード単体で動作する時（即ち、温度測定時）は図示されない内蔵電池により電源供給がなされ、外部機器接続時（即ち、データ読出時）においては、外部機器コネクター（２）の電源端子を通して電源の供給を受ける。」（第２頁右上欄第１１行〜第３頁左上欄第１２行）
（エ）「次に、本カードの機能について説明する。
　第４図は温度測定時の処理プログラムのフローチャートであり、第５図はデータ読出時の処理プログラムのフローチャートであって、これらのプログラムはＥ２ＰＲＯＭ（８）に格納されている。
　まず、第４図に従い温度測定時について説明する。
　スイッチ（４）を押すことで測定が開始され、最初にデータメモリのアドレスが０にセットされる。次に、インターバルタイマーで設定された適当なサンプリングタイミングにて温度センサー（３）で検出された温度データがサンプリングされ、この値が予め設定されている許容範囲を示す境界値と比較され、もし許容範囲外であれば異常状態であるとして異常を示すフラグをそのアドレスに立てる。なお、許容範囲が上限、下限をもつものであれば、そのいずれを超えたものであるかを判明できるようなデータをあわせて記憶することが好ましい。一方、タイマー（１４）では時々刻々の時間が計時されており、上記した温度測定データとともにデータがサンプリングされた時点での時間がデータメモリの所定アドレス（最初はアドレス０）に記憶される。これらの処理の終了後アドレスカウンタが１だけインクリメントされ、上記の如くの処理が繰り返される。
　温度測定の必要がなくなった時点で再びスイッチＳＷ（４）を押せば測定を終了せしめることができる。・・（略）・・。
　このようにして、測定開始から終了までの間の一定期間ごとの温度データと時間、及び異常判定結果をデータメモリ内に記憶せしめることができる。
　次に、このカードが置かれた環境の温度状態を確認する場合について述べる。
　第５図に示されるように、データ確認装置としてカードリーダーライター（２２）、ＣＲＴディスプレイ（２４）及びキーボード（２５）が接続されたコンピューター（２１）を想定する。カードリーダーライター（２２）は雰囲気検知カードを挿入するためのカード挿入口（２３）を有し、挿入されたカードの外部機器コネクター（２）にリーダーライター側の接続ピンを接触せしめてカード内の処理回路とコンピューター（２１）を接続する。・・（略）・・。然るに、雰囲気検知カードがリーダーライター（２２）に装着されたならば、キーボード（２５）からカードのデータメモリとしてのＥ２ＰＲＯＭ（８）内に記憶されているデータの読出命令をコンピューター（２１）に与える。・・（略）・・。
　コンピューター（２１）では読み出されたデータを展開し、例えば第６図に示す如くのフォーマットでＣＲＴディスプレイ（２４）上に表示し、温度状態の異常の有無を確認する。この例では、時刻１４：００に温度が許容範囲を超えて異常状態になったことを示しており、異常が発生したことが判明しうるだけでなく、いつの時点で発生したかが判明するためにその原因解明が容易となる。」（第３頁左上欄第１９行〜第４頁左上欄第１４行）
（オ）「また、上記実施例では雰囲気検知カード内に測定データが許容範囲内に存在しているか否かを判定する判定手段を備えるようにしたが、雰囲気検知カードではただ測定データ及び時間データを記憶し、データ確認時外部のコンピュータにデータを読出し、このコンピュータにて許容範囲内に存在するか否かの判定を行なわしめても良い。」（第４頁右下欄第４〜１０行）
　上記記載事項（ア）〜（オ）によると、引用例１には、
「物流過程で物品に作用する雰囲気を、温度、湿度、圧力、光または磁気のうちの複数でそれぞれ検知し、検知情報を表す信号をそれぞれ導出する複数のセンサーと、
　時刻を表す信号を導出するタイマー（１４）と、
　複数のセンサーからの信号が表す検知情報を、タイマー（１４）からの信号によって表される時刻とともに、記憶して蓄積するＥ２ＰＲＯＭ（８）と、
　外部機器コネクター（２）と、
　Ｅ２ＰＲＯＭ（８）に蓄積されている検知情報および時刻を、外部からの読取り要求に応じて読出し、外部機器コネクター（２）を介して外部に送出するように制御するＭＰＵ（７）と、
　センサー、タイマー（１４）、Ｅ２ＰＲＯＭ（８）、およびＭＰＵ（７）に、動作用の電力を供給する内蔵電池とを含む雰囲気検知カード。」
の発明（以下、「引用例１記載の装置発明」という。）が記載されていると認められ、さらに、
「物流過程で物品に作用する雰囲気を、温度、湿度、圧力、光または磁気のうちの複数でそれぞれ検知し、検知情報を表す信号をそれぞれ導出する複数のセンサーと、
　時刻を表す信号を導出するタイマー（１４）と、
　複数のセンサーからの信号が表す検知情報を、タイマー（１４）からの信号によって表される時刻とともに、記憶して蓄積するＥ２ＰＲＯＭ（８）と、
　外部機器コネクター（２）と、
　Ｅ２ＰＲＯＭ（８）に蓄積されている検知情報および時刻を、外部からの要求に応じて読出し、外部機器コネクター（２）を介して外部に送出するように制御するＭＰＵ（７）（制御回路）と、
　センサー、タイマー（１４）、Ｅ２ＰＲＯＭ（８）、およびＭＰＵ（７）に、動作用の電力を供給する内蔵電池とを含む雰囲気検知カードを物品とともに物流過程に移行させ、
　物流過程の終了後の必要時に、雰囲気検知カードをリーダーライター（２２）に装着し、Ｅ２ＰＲＯＭ（８）に蓄積されている検知情報を外部機器コネクター（２）を介して読出して、物品が物流過程で予め設定される基準を満たさない雰囲気にさらされているか否かを判断する物流過程の品質保証方法。」
の発明（以下、「引用例１記載の方法発明」という。）が記載されていると認められる。
　
　同じく引用された特開昭６３−２５２７９７号公報（以下、「引用例２」という。）には、図面とともに、次の事項が記載されている。
（カ）「本発明はＩＣカードに係り、特にデータ入力操作を排除し、環境データ等を自動的に測定するのに好適なセンサ付きＩＣカードに関する。」（第１頁左下欄第１５〜１７行）
（キ）「第３図は、本発明の使用例として物品梱包箱１０に設置し、輸送中の温度データを測定する様子を示す。」（第２頁左下欄第１７〜１９行）
（ク）「以上の実施例では、温度の測定を行なったが、第１図における温度センサの替りに衝撃センサを付ければ、輸送中の物品が受ける振動を前述の温度と同様に測定することができる。」（第３頁左下欄第２〜５行）
　
　同じく引用された特開平１０−２８９２９７号公報（以下、「引用例３」という。）には、図面とともに、次の事項が記載されている。
（サ）「【課題を解決するための手段】上記目的を達成するために、本発明の非接触データキャリアは、環境を検出するためのセンサ素子と、外部機器との間で非接触で信号を送受信するためのアンテナと、前記センサ素子の検出信号を前記アンテナを通じて送信するように制御する制御回路とを有して構成されたものである。
【０００９】すなわち、本発明の非接触データキャリアは、例えば温度、気圧（圧力）等の環境を検出するためのセンサ素子を内部部品に付加し、このセンサ素子により得た環境検出信号をアンテナを通して外部機器（質問器）に送信し得るように構成されたものである。
【００１０】このような構成を採る非接触データキャリアは、これまでのメモリ素子に対するリード／ライトやそのリード／ライトデータの送受信のみを可能とする非接触データキャリアの用途の枠を超えた新たな分野に適用することが可能になる。すなわち、非接触データキャリアは、質問器からの伝送信号のエネルギーを駆動電力として用いているために専用電源が不要で、非接触交信が可能である故に、例えば、自動車のタイヤ等の運動する物体内の環境のように、これまで測定が困難とされてきた過酷な環境内に取り付けられることで、その環境内の温度や圧力等をリアルタイムで検出して質問器に通知することができる。」（第２頁第２欄第１７〜３９行）
（シ）「【００１８】次に、この非接触データキャリアシステムの検出データの交信手順について説明する。質問器１０は、まず非接触データキャリア２０に対してタグ情報及び環境検出情報の質問信号を発信する。非接触データキャリア２０は上記質問信号の受信可能エリア内に入ると、その送信信号のエネルギーを駆動電力として、主制御部２１の制御のもと該質問信号を受信し、記憶部２２に記憶されているタグ情報を応答信号として発信すると共に、センサ部２８の出力信号を二値化して環境検出信号として発信する。質問器１０は非接触データキャリア２０からの応答信号及び環境検出信号を受信し、解読して、タグ識別情報及び環境検出信号としてホスト装置に送る。」（第３頁第３欄第３３〜４５行）
（ス）「【００２９】また、用途としては上記の自動車のタイヤの例に止まらず、物品の輸送状態の把握、工場の製造工程中のモニタリング、現品管理など、様々な分野での応用が期待される。」（第４頁第６欄第１〜４行）
　
（３）対比・判断
＜本願補正発明１について＞
　本願補正発明１と引用例１記載の装置発明とを対比すると、引用例１記載の装置発明の「物品」は本願補正発明１の「荷物」に相当し、以下同様に、「雰囲気」は「環境」に、「センサー」は「センサ」に、「タイマー（１４）」は「クロック」に、「Ｅ２ＰＲＯＭ（８）」は「不揮発性のメモリ」に、「ＭＰＵ（７）」は「制御回路」に、「内蔵電池」は「電池」に、「雰囲気検知カード」は「データキャリア」に、それぞれ相当する。
　してみると、両者は、
「物流過程で荷物に作用する環境を、複数の環境でそれぞれ検知し、検知情報を表す信号をそれぞれ導出する複数のセンサと、
　時刻を表す信号を導出するクロックと、
　複数のセンサからの信号が表す検知情報を、クロックからの信号によって表される時刻とともに、記憶して蓄積する不揮発性のメモリと、
　メモリに蓄積されている検知情報および時刻を、外部からの読取り要求に応じて読出し、外部に送出するように制御する制御回路と、
　センサ、クロック、メモリ、および制御回路に、動作用の電力を供給する電池とを含むデータキャリア。」
の点で一致し、次の点１，２で相違している。
〔相違点１〕
　本願補正発明１の「複数のセンサ」は、温度、湿度または圧力のうちの少なくとも１つ、および衝撃または加速度のうちの少なくとも１つを検知するのに対して、引用例１記載の装置発明の「複数のセンサ」は、温度、湿度、圧力、光または磁気のうちの複数を検知する点。
〔相違点２〕
　本願補正発明１の「データキャリア」は、物流過程で取扱われる荷物に添付され、荷物の識別情報をデータとして保持し、保持するデータを外部から読取り可能なデータキャリアであって、荷物の識別情報をデータとして保持する不揮発性のメモリと、外部との間で無線通信を行う通信器と、メモリに蓄積されている検知情報および時刻を、外部からの読取り要求に応じて読出し、保持している荷物の識別情報とともに、無線通信で外部に送出するように通信器を制御する制御回路と、通信器に動作用の電力を供給する電池とを含むのに対して、引用例１記載の装置発明の「データキャリア」は、そのようなものでない点。
　
　上記〔相違点１〕〔相違点２〕について検討する。
〔相違点１〕について
　物流過程で荷物に作用する環境を、衝撃，加速度で検知し、検知情報を表す信号を導出する衝撃センサ，加速度センサは、周知である。（必要なら、引用例２の上記記載事項（ク），特開昭６３−２６３４１９号公報，特開昭６３−２６５３８３号公報、参照。）
　一方、引用例１記載の装置発明は、物流過程で荷物に作用する環境を、温度，湿度，圧力，光または磁気のうちの複数でそれぞれ検知し、検知情報を表す信号をそれぞれ導出する複数のセンサを具備している。
　そして、物流過程で荷物に作用するどのような複数の環境を選択するかは、荷物の種類，荷物の置かれた状況等を勘案して当業者が適宜選択する設計的事項と認められるから、引用例１記載の装置発明において、衝撃センサまたは加速度センサを備えるようにするとともに、「複数のセンサ」として、温度，湿度または圧力のうちの少なくとも１つ、および衝撃または加速度のうちの少なくとも１つを検出するセンサを選択することは、当業者が格別困難なく想到し得るものと認められる。
〔相違点２〕について
　物流過程で取扱われる荷物に添付され、荷物の識別情報をデータとして保持し、保持するデータを外部から読取り可能なデータキャリアであって、荷物の識別情報をデータとして保持するメモリと、外部との間で無線通信を行う通信器と、保持している荷物の識別情報を無線通信で外部に送出するように通信器を制御する制御回路と、メモリ，通信器，および制御回路に動作用の電力を供給する電池とを含む「データキャリア」は、周知である。（以下、「周知のデータキャリア」という。必要なら、特開平７−２２００３２号公報の図６，図７記載の従来例、参照。）
　一方、引用例３には、上記記載事項（サ），（シ）によると、データキャリアにおいて、「自動車のタイヤ等の運動する物体内の環境を検出するためのセンサ素子と、外部機器との間で非接触で信号を送受信するためのアンテナと、前記センサ素子の検出信号を前記アンテナを通じて送信するように制御する制御回路とを具備した」点が開示され、上記記載事項（ス）によると、用途として、自動車のタイヤの例に止まらず物品の輸送状態の把握など、様々な分野での応用が期待される旨の示唆がある。
　そうすると、引用例１記載の装置発明において、上記「周知のデータキャリア」の構成を適用し、当該適用に際して、引用例３記載の上記の点を勘案して、「物流過程で取扱われる荷物に添付され、荷物の識別情報をデータとして保持し、保持するデータを外部から読取り可能なデータキャリアであって、荷物の識別情報をデータとして保持する不揮発性のメモリと、外部との間で無線通信を行う通信器と、メモリに蓄積されている検知情報および時刻を、外部からの読取り要求に応じて読出し、保持している荷物の識別情報とともに、無線通信で外部に送出するように通信器を制御する制御回路と、通信器に動作用の電力を供給する電池とを含む」ように構成することは、当業者が格別困難なく想到し得るものと認められる。なお、引用例３記載の「データキャリア」においては、センサ素子の検出信号をメモリ素子に蓄積することなく無線通信で外部に送出するものであるが、メモリに蓄積された情報（例えば、上記「周知のデータキャリア」における荷物の識別情報，引用例３記載のタグ情報。）を無線通信で外部に送出することは周知であり、しかも、メモリに蓄積されている環境についての検知情報および時刻を無線通信で外部に送出することを妨げる特段の事情も存在しない。
　
　そして、本願補正発明１の効果も、引用例１記載の装置発明、引用例２，３記載の技術、及び周知技術から当業者が予測できる範囲のものである。
　したがって、本願補正発明１は、引用例１記載の装置発明、引用例２，３記載の技術、及び周知技術に基づいて、当業者が容易に発明をすることができたものであるから、特許法第２９条第２項の規定により特許出願の際独立して特許を受けることができないものである。
　
＜本願補正発明５について＞
　本願補正発明５と引用例１記載の方法発明とを対比すると、引用例１記載の方法発明の「物品」は本願補正発明５の「荷物」に相当し、以下同様に、「雰囲気」は「環境」に、「センサー」は「センサ」に、「タイマー（１４）」は「クロック」に、「Ｅ２ＰＲＯＭ（８）」は「不揮発性のメモリ」に、「ＭＰＵ（７）」は「制御回路」に、「内蔵電池」は「電池」に、「雰囲気検知カード」は「環境監視部材」に、それぞれ相当する。
　してみると、両者は、
「物流過程で荷物に作用する環境を、複数の環境でそれぞれ検知し、検知情報を表す信号をそれぞれ導出する複数のセンサと、
　時刻を表す信号を導出するクロックと、
　複数のセンサからの信号が表す検知情報を、クロックからの信号によって表される時刻とともに、記憶して蓄積する不揮発性のメモリと、
　メモリに蓄積されている検知情報および時刻を、外部からの要求に応じて読出し、外部に送出するように制御する制御回路と、
　センサ、クロック、メモリ、および制御回路に、動作用の電力を供給する電池とを含む環境監視部材を荷物とともに物流過程に移行させ、
　物流過程の終了後の必要時に、メモリに蓄積されている検知情報を読出して、荷物が物流過程で予め設定される基準を満たさない環境にさらされているか否かを判断する物流過程の品質保証方法。」
の点で一致し、次の点１〜４で相違している。
〔相違点１〕
　本願補正発明５の「複数のセンサ」は、温度、湿度または圧力のうちの少なくとも１つ、および衝撃または加速度のうちの少なくとも１つを検知するのに対して、引用例１記載の方法発明の「複数のセンサ」は、温度、湿度、圧力、光または磁気のうちの複数を検知する点。
〔相違点２〕
　本願補正発明５の「環境監視部材」は、荷物に添付して物流過程に移行させるのに対して、引用例１記載の方法発明の「環境監視部材」は、荷物に添付して物流過程に移行させるのか否か明らかでない点。
〔相違点３〕
　本願補正発明５の「環境監視部材」は、外部との間で無線通信を行う通信器と、メモリに蓄積されている検知情報および時刻を、外部からの要求に応じて読出し、無線通信で外部に送出するように通信器を制御する制御回路と、通信器に動作用の電力を供給する電池とを含むのに対して、引用例１記載の方法発明の「環境監視部材」は、そのようなものでない点。
〔相違点４〕
　本願補正発明５は、物流過程の途中または終了後の必要時に、環境監視部材を荷物に添付したままの状態で、メモリに蓄積されている検知情報を無線通信で読出して、荷物が物流過程で予め設定される基準を満たさない環境にさらされているか否かを判断するのに対して、引用例１記載の方法発明は、物流過程の終了後の必要時に、環境監視部材をリーダーライター（２２）に装着し、メモリに蓄積されている検知情報を外部機器コネクター（２）を介して読出して、荷物が物流過程で予め設定される基準を満たさない環境にさらされているか否かを判断する点。
　
　上記〔相違点１〕〜〔相違点４〕について検討する。
〔相違点１〕について
　物流過程で荷物に作用する環境を、衝撃，加速度で検知し、検知情報を表す信号を導出する衝撃センサ，加速度センサは、周知である。（必要なら、引用例２の上記記載事項（ク），特開昭６３−２６３４１９号公報，特開昭６３−２６５３８３号公報、参照。）
　一方、引用例１記載の方法発明は、物流過程で荷物に作用する環境を、温度，湿度，圧力，光または磁気のうちの複数でそれぞれ検知し、検知情報を表す信号をそれぞれ導出する複数のセンサを具備している。
　そして、物流過程で荷物に作用するどのような複数の環境を選択するかは、荷物の種類，荷物の置かれた状況等を勘案して当業者が適宜選択する設計的事項と認められるから、引用例１記載の方法発明において、衝撃センサまたは加速度センサを備えるようにするとともに、「複数のセンサ」として、温度，湿度または圧力のうちの少なくとも１つ、および衝撃または加速度のうちの少なくとも１つを検出するセンサを選択することは、当業者が格別困難なく想到し得るものと認められる。
〔相違点２〕について
　「環境監視部材」を、荷物に添付して物流過程に移行させることは、周知（必要なら、引用例２の上記記載事項（キ）、参照。）であり、引用例１記載の方法発明の「環境監視部材」においてもそのように構成することは、当業者が適宜なし得ることと認められる。
〔相違点３〕について
　引用例３には、上記記載事項（サ），（シ）によると、データキャリアにおいて、「自動車のタイヤ等の運動する物体内の環境を検出するためのセンサ素子と、外部機器との間で非接触で信号を送受信するためのアンテナと、前記センサ素子の検出信号を前記アンテナを通じて送信するように制御する制御回路とを具備した」点が開示され、上記記載事項（ス）によると、用途として、自動車のタイヤの例に止まらず物品の輸送状態の把握など、様々な分野での応用が期待される旨の示唆がある。
　そうすると、引用例１記載の方法発明において、引用例３記載の上記の点を勘案して、「外部との間で無線通信を行う通信器と、メモリに蓄積されている検知情報および時刻を、外部からの要求に応じて読出し、無線通信で外部に送出するように通信器を制御する制御回路と、通信器に動作用の電力を供給する電池とを含む」ように構成することは、当業者が格別困難なく想到し得るものと認められる。なお、引用例３記載の「データキャリア」においては、センサ素子の検出信号をメモリ素子に蓄積することなく無線通信で外部に送出するものであるが、メモリに蓄積された情報（例えば、上記「周知のデータキャリア」における荷物の識別情報，引用例３記載のタグ情報。）を無線通信で外部に送出することは周知であり、しかも、メモリに蓄積されている環境についての検知情報および時刻を無線通信で外部に送出することを妨げる特段の事情も存在しない。
〔相違点４〕について
　引用例３には、上記記載事項（サ），（シ）によると、データキャリアにおいて、「自動車のタイヤ等の運動する物体内の環境を検出するためのセンサ素子と、外部機器との間で非接触で信号を送受信するためのアンテナと、前記センサ素子の検出信号をメモリ素子に記憶することなく前記アンテナを通じて送信するように制御する制御回路とを具備した」点が開示され、上記記載事項（ス）によると、用途として、自動車のタイヤの例に止まらず物品の輸送状態の把握など、様々な分野での応用が期待される旨の示唆がある。
　そうすると、引用例１記載の方法発明において、引用例３記載の上記の点を勘案して、「物流過程の途中または終了後の必要時に、環境監視部材を荷物に添付したままの状態で、メモリに蓄積されている検知情報を無線通信で読出して、荷物が物流過程で予め設定される基準を満たさない環境にさらされているか否かを判断する」ように構成することは、当業者が格別困難なく想到し得るものと認められる。
　
　そして、本願補正発明５の効果も、引用例１記載の方法発明、引用例２，３記載の技術、及び周知技術から当業者が予測できる範囲のものである。
　したがって、本願補正発明５は、引用例１記載の方法発明、引用例２，３記載の技術、及び周知技術に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１３年１月２２日付の手続補正は上記のとおり却下されたので、本願の請求項１，５に係る発明（以下、「本願発明１，５」という。）は、平成１２年２月２５日付手続補正書の特許請求の範囲の請求項１，５に記載された事項により特定される、以下のとおりのものである。
「１．物流過程で取扱われる荷物に添付され、荷物の識別情報をデータとして保持し、データを外部から読取り可能なデータキャリアにおいて、
　物流過程で荷物に作用する環境を監視し、品質保証に関する検知情報を表す信号を導出するセンサと、
　センサからの信号が入力され、検知情報を記憶して蓄積するメモリと、
　外部との間で無線通信を行う通信器と、
　メモリに蓄積されている検知情報を、外部からの要求に応じて読出し、荷物の識別情報とともに、無線通信で外部に送出するように通信器を制御する制御回路と、
　センサ、メモリ、通信器、および制御回路に、動作用の電力を供給する電源とを含むことを特徴とするデータキャリア。
　５．物流過程で荷物に対応する環境を監視し、品質保証に関する検知情報を表す信号を導出するセンサと、
　センサからの信号が入力され、検知情報を記憶して蓄積するメモリと、
　外部との間で無線通信を行う通信器と、
　メモリに蓄積されている検知情報を、外部からの要求に応じて読出し、無線通信で外部に送出するように通信器を制御する制御回路と、
　センサ、メモリおよび制御回路に、動作用の電力を供給する電源とを含む環境監視部材を荷物に添付して物流過程に移行させ、
　物流過程の途中または終了後の必要時に、環境監視部材を荷物に添付したままの状態で、メモリに蓄積されている検知情報を無線通信で読出して、荷物が物流過程で予め設定される基準を満たさない環境にさらされているか否かを判断することを特徴とする物流過程の品質保証方法。」
　
（１）引用例
　原査定の拒絶の理由に引用された引用例、および、その記載事項は、前記「２．（２）」に記載したとおりである。
　
（２）対比・判断
＜本願発明１について＞
　本願発明１は、前記２．で検討した本願補正発明１から「データキャリア」の限定事項である「時刻を表す信号を導出するクロックを含む」との構成を省き、「センサ」の限定事項である「温度、湿度または圧力のうちの少なくとも１つ、および衝撃または加速度のうちの少なくとも１つでそれぞれ検知し」との構成を省き、「メモリ」の限定事項である「不揮発性の」との構成を省くとともに「荷物の識別情報をデータとして保持し、複数のセンサからの信号が表す検知情報を、クロックからの信号によって表される時刻とともに、記憶して蓄積する」との構成を省き、「制御回路」の限定事項である「メモリに蓄積されている時刻を、外部からの読取り要求に応じて読出し、無線通信で外部に送出するように通信器を制御する」との構成を省き、「電源」の下位概念である「電池」との限定を省くとともに「クロックに動作用の電力を供給する」との構成を省いたものである。
　そうすると、本願発明１の構成要件を全て含み、さらに他の構成要件を付加したものに相当する本願補正発明１が、前記「２．（３）」に記載したとおり、引用例１記載の装置発明、引用例２，３記載の技術、及び周知技術に基づいて、当業者が容易に発明をすることができたものであるから、本願発明１も、同様の理由により、引用例１記載の装置発明、引用例２，３記載の技術、及び周知技術に基づいて、当業者が容易に発明をすることができたものである。
　
＜本願発明５について＞
　本願発明５は、前記２．で検討した本願補正発明５から「環境監視部材」の限定事項である「時刻を表す信号を導出するクロックを含む」との構成を省き、「センサ」の限定事項である「温度、湿度または圧力のうちの少なくとも１つ、および衝撃または加速度のうちの少なくとも１つでそれぞれ検知し」との構成を省き、「メモリ」の限定事項である「不揮発性の」との構成を省くとともに「複数のセンサからの信号が表す検知情報を、クロックからの信号によって表される時刻とともに、記憶して蓄積する」との構成を省き、「制御回路」の限定事項である「メモリに蓄積されている時刻を、外部からの読取り要求に応じて読出し、無線通信で外部に送出するように通信器を制御する」との構成を省き、「電源」の下位概念である「電池」との限定を省くとともに「クロックに動作用の電力を供給する」との構成を省いたものである。
　そうすると、本願発明５の構成要件を全て含み、さらに他の構成要件を付加したものに相当する本願補正発明５が、前記「２．（３）」に記載したとおり、引用例１記載の方法発明、引用例２，３記載の技術、及び周知技術に基づいて、当業者が容易に発明をすることができたものであるから、本願発明５も、同様の理由により、引用例１記載の方法発明、引用例２，３記載の技術、及び周知技術に基づいて、当業者が容易に発明をすることができたものである。
　
（３）むすび
　以上のとおり、本願発明１，５は、引用例１記載の発明、引用例２，３記載の技術、及び周知技術に基づいて、当業者が容易に発明をすることができたものであるから、特許法第２９条第２項の規定により特許を受けることができない。
　よって、結論のとおり審決する。